(57)【要約】本発明は、ディスプレイ、特にプラズマ・ディスプレイを保護するために用いる複合シートに関する。複合シートは、本質的に３シートを有する。内部シート（１）は、熱可塑性合成材料から成り、外側シート（２、３）は、ガラスから成る。個々のシート（１、２、３）は、熱可塑性ポリウレタンのフィルム（４）によって相互に堅固に接合される。ディスプレイに面するガラス・シート（３）には、電気遮蔽性が供されている。本発明のシートをディスプレイから取り外した場合、該シートは、その構造に起因して、種々の方法で取り付けることができる。該シートは、軽量で、破砕防止性があり、広範囲の設計の機会を供する。
2004504623.tif 000002
【特許請求の範囲】
【請求項１】
ディスプレイ、特にプラズマ・ディスプレイの保護として使用する複合基板であって、該複合基板は、実質的に３つの基板を含んで成り、内部基板（１）は、熱可塑性合成材料から成り、外側基板（２、３）は、ガラスから成り、個々の基板（１、２、３）は、熱可塑性ポリウレタンのフィルム（４）によって相互に堅固に接合され、ディスプレイに面するガラス基板（３）には電気シールドが供されている複合基板。
【請求項２】
電気シールドのために、ＴＣＯ（透明導電性酸化物）の１またはそれ以上の層（５）を用いることを特徴とする、請求項１に記載の複合基板。
【請求項３】
ＴＣＯ層（５）として、インジウム錫酸化物を用いることを特徴とする、請求項２に記載の複合基板。
【請求項４】
ＴＣＯ層（５）は、ディスプレイに面するガラス基板（３）の表面に供されることを特徴とする、請求項２または請求項３のいずれかに記載の複合基板。
【請求項５】
ＴＣＯ層（５）は、ディスプレイから遠い側のガラス基板（３）の表面に供されることを特徴とする、請求項２または請求項３のいずれかに記載の複合基板。
【請求項６】
内部基板（１）の熱可塑性合成材料として、ポリカーボネートを用いることを特徴とする、請求項１〜請求項５のいずれかに記載の複合基板。
【請求項７】
ポリカーボネートは、ビスフェノールＡから製造されることを特徴とする、請求項６に記載の複合基板。
【請求項８】
保持、装飾等のための要素（７Ａ、７Ｂ）は、熱可塑性合成材料の内部基板（１）の前面に射出成形されることを特徴とする、請求項１〜請求項７のいずれかに記載の複合基板。
【請求項９】
熱可塑性合成材料の内部基板（１）は、０．１ｍｍ〜２０ｍｍの厚さ、好ましくは２ｍｍ〜６ｍｍの厚さを有することを特徴とする、請求項１〜請求項８のいずれかに記載の複合基板。
【請求項１０】
２つの外側ガラス基板（２、３）は、同じ厚さを有することを特徴とする、請求項１〜請求項９のいずれかに記載の複合基板。
【請求項１１】
オブザーバーに面するガラス基板（２）は、耐引掻き性表面を有することを特徴とする、請求項１〜請求項１０のいずれかに記載の複合基板。
【請求項１２】
反射防止被膜（６）が、オブザーバーに面するガラス基板（２）に供されていることを特徴とする、請求項１〜請求項１１のいずれかに記載の複合基板。
【発明の詳細な説明】
【０００１】
本発明は、ディスプレイ、詳細にはプラズマ・ディスプレイを保護するために使用する複合基板（または複合シートもしくは複合パネル、Ｖｅｒｂｕｎｄｓｃｈｅｉｂｅ）に関する。
【０００２】
データ処理の発展に伴って、データを表示するディスプレイには、一層より広い用途が見出されている。これに関連して、フラット・スクリーンは、ますます普及しつつある。このような目的のために使用するプラズマ・ディスプレイは、例えば、パーソナル・コンピューターと共に使用するモニター、テレビ、電話の端末機、または可変情報を表示する広告スペース（または広告面）等に関連した情報技術および通信技術という多くの分野で用いられている。
【０００３】
伝統的に、かかるディスプレイは、ユーザー側にあるガラス・プレートによって保護されている。ガラスを使用することによって、ディスプレイが適切に保護されるが、ガラスは、重量、固有の敏感性（破損）および限られた成形性の点で不利である。
【０００４】
重量を減じるために、幾つかの個々の基板から成る複合基板が、特に乗物用ガラスの分野において既に開発されており、従って、幾つかのガラスは、熱可塑性合成材料から成る基板（ほぼ等しい基板厚さを有する）に取って替わられている。従って、例えば、ポリカーボネートおよびガラスの積層材料から成る複合基板は、ドイツ国特許出願公開明細書（ＤＥ−ＯＳ）第１５９４１６４号により以前から知られている。この場合、高分子の熱可塑性ポリカーボネートから成る主となる基板は、２つの外側のガラスの基板によって包囲され、この基板は熱可塑性ポリウレタンの層によって接続されている。
【０００５】
米国特許明細書（ＵＳ−ＰＳ）第５４８２８９６号により、ＬＥＤディスプレイの保護層が既知であり、ＬＥＤアレイ上に超薄透明基板が積層され、実際のＬＥＤアレイを保護するために、好ましくは、超薄基材を介してガラスが使用される。
【０００６】
更に、英国特許出願公開明細書（ＧＢ　Ａ）第２３３５８８４Ａ号により、ディスプレイと保護層とを一様に接続することによって構成される可撓性基板が既知である。また、この場合、保護層の構造は、ガラス層とプラスチック層との組合わせから成る。
【０００７】
本発明の目的は、ディスプレイ、特にプラズマ・ディスプレイを保護するために用いる複合基板（または複合シート）を特定のものとすることであり、実際のディスプレイから取り外した場合には多様な方法で取り付けることができ、軽量で、破砕防止性（または飛散防止性）があり、更に、高い設計自由度を許容する複合基板を明らかにすることである。
【０００８】
このような目的は、実質的に３層を有する複合基板によって達成され、内部基板（または真ん中にある基板またはシート）は熱可塑性合成材料から成り、外側基板（またはシート）はガラスから成り、それによって、個々の基板は、熱可塑性ポリウレタンのフィルムによって、相互に堅固に接合され、ディスプレイに面するガラス基板には、電気シールド（または電気遮蔽性）が供されている。
【０００９】
また、ガラスと違って、本発明の複合基板は、広い面積を有するプラズマ・ディスプレイ、例えば宣伝媒体用のディスプレイに用いることができ、または映写（または投影）用の大きいスクリーンに用いることができる。また、該複合基板を、例えば、鉄道の駅、空港等で見られるような公共的に利用されるディスプレイに使用することが特に適当である。本発明の複合基板の飛散防止性は、一方では、複合基板の後ろに配置され、かつ、該複合基板と接触しないディスプレイに対する損傷に対して一層良好な保護を提供し、更に、複合基板は、ガラス基板の一方または双方が破損する場合でさえ、複合基板は、その複合状態を維持するので、複合基板が損傷する際の傷害が確実に防止される。
【００１０】
電気シールドとして、好ましくは、いわゆるＴＣＯ（透明接触酸化物、ｔｒａｎｓｐａｒｅｎｔ　ｃｏｎｔａｃｔｉｎｇ　ｏｘｉｄｅ）の１またはそれ以上の層を用いる。インジウム錫酸化物（ＩＴＯ）を用いる被膜（またはコーティング）が、特に有用であることは判っている。幾つかの層を用いる場合に電気シールドを増加させるため、該層を導電的方式で相互に接続する。
【００１１】
本発明の更なる改良では、ディスプレイに面するディスプレイ側のガラス基板の表面、または、ディスプレイから離れて面するディスプレイ側のガラス基板の表面に、１つのＩＴＯ層が供され、あるいは複数のＩＴＯ層が交互（または１層置き）に供される。製造技術の観点から、ディスプレイに面するディスプレイ側のガラス基板の表面の被膜が好ましい。
【００１２】
比較的厚い基板でも、非常に高い透明度でポリカーボネートを製造することができるので、熱可塑性合成材料の内部基板として、好ましくはポリカーボネートを使用する。このことは、ビスフェノールＡからポリカーボネートを製造されている場合に特に当て嵌まる。かかるポリカーボネートは、Ｍａｋｒｏｌｏｎ（登録商標）の名称で、出願人により市販されている。
【００１３】
本発明の更なる教示によれば、熱可塑性合成材料の内部基板の前面に射出成形によって、保持（または係合）、装飾等のための要素を加える（または取り付ける）ことができる。このようにすると、例えば、熱可塑性合成材料の内部基板を用いて、全複合基板を１ピースとして固定する保持部材を形成することができ、その結果、例えばガラス基板との接続に必要な付加的な保持要素が完全に不要となり得る。更に、外側ガラス基板を、エッジ領域においてプラスチック要素によって包囲することが考えられ、その結果、本発明の複合基板の形成（または形づくること、ｆａｓｈｉｏｎｉｎｇ）について、設計上の制限はなくなる。
【００１４】
本発明の更なる教示において、熱可塑性合成材料の内部基板は、０．１ｍｍ〜２０ｍｍの厚さ、好ましくは２ｍｍ〜６ｍｍの厚さを有している。大きい面積を有するディスプレイに使用するために、このような厚さを用いた複合基板を容易に製造することができる。純粋なガラス基板と比較して、該基板の重量は、１／４〜１／３減少し得る。
【００１５】
ゆがみを完全になくすために、２つの外側ガラス基板は、同じ厚さであることが好都合であり、その結果、同じ膨張係数に起因して、複合基板の高い平面度が得られる。
【００１６】
最後に、本発明の更なる改良では、耐引掻き性表面を有し、反射防止被膜が供された、オブザーバー（または観察者、ｏｂｓｅｒｖｅｒ）と面するガラス基板が供される。この目的のために、ＴｉＯ２／ＳｉＯ２から成る交互（または１層置き）の被膜が特に適当である。
【００１７】
単に好ましい実施例を示す図面において、相互に積層する可能な層シーケンス（または層の順序）をより詳細に説明する。
【００１８】
本発明の複合基板の２つの可能な層シーケンスを図１および図２に模式的に示す。双方の基板は、熱可塑性合成材料、好ましくはポリカーボネートから成る内部層１から成り、各場合、ポリウレタンの薄いフィルム（または薄膜）４を用いることで、オブザーバーに面するガラス基板２およびディスプレイに面するガラス基板３が、該内部層上に積層されている。
【００１９】
ディスプレイ側では、好ましくはインジウム錫酸化物（ＩＴＯ）から成るＴＣＯ（透明導電性酸化物）の１またはそれ以上の層５が、電気シールドとして機能する。図１の実施例において、ＴＣＯ層５は、複合基板の外側表面に配置されており、図２の実施例においては、該ＴＣＯ層５は、外側のディスプレイ側のガラス基板３とＰＵ層４（内部基板１と外側ガラス基板３とを接合している）との間に配置されている。
【００２０】
図３Ａおよび図３Ｂは、本発明の複合基板のエッジ領域の可能な構造を示している。図３Ａには、内部基板１に直接的に射出成形できる保持要素（または係合要素）７Ａが示され、個別の保持手段または固定手段を省略できる。図３Ｂには、可能なエッジ形状７Ｂが示されている。該エッジ形状は、オブザーバーに面するガラス基板２を部分的に包含するように選択されており、従って、関連するディスプレイのケーシングを構成し得る。
【図面の簡単な説明】
【図１】図１は、本発明の第１の複合基板の層シーケンスである。
【図２】図２は、本発明のもう１つの複合基板の層シーケンスである。
【図３Ａ】図３Ａは、上述の複合基板のエッジ領域の可能な構造である。
【図３Ｂ】図３Ｂは、上述の複合基板のエッジ領域の可能な構造である。
【国際公開パンフレット】
2004504623.tif 000003
2004504623.tif 000004
2004504623.tif 000005
2004504623.tif 000006
2004504623.tif 000007
2004504623.tif 000008
2004504623.tif 000009
2004504623.tif 000010
2004504623.tif 000011
2004504623.tif 000012
【国際公開パンフレット（コレクトバージョン）】
2004504623.tif 000013
2004504623.tif 000014
【国際調査報告】
2004504623.tif 000015
2004504623.tif 000016
2004504623.tif 000017
2004504623.tif 000018
2004504623.tif 000019
2004504623.tif 000020
2004504623.tif 000021
2004504623.tif 000022